(57)【要約】  本発明は、リチウム ビス（オキサラト）ボレート（ＬｉＢＯＢ）と式（Ｉ）の型の混合型のリチウムボレート塩とを含有する導電性塩であって、該導電性塩中の化合物（Ｉ）の割合が０．０１〜２０モル％であり、かつ式（Ｉ）中のＸが、２個の酸素原子でホウ素に対して結合される架橋であり、該架橋が、式（ＩＩ）で示され、その式中、Ｙ1及びＹ2は、一緒になってＯを意味し、ｍは１であり、ｎは０であり、かつＹ3及びＹ4は、互いに無関係に、Ｈ又は１〜５個の炭素原子を有するアルキル基であるか、又はＹ1、Ｙ2、Ｙ3、Ｙ4は、それぞれ互いに無関係に、ＯＲ（その際、Ｒは、１〜５個の炭素原子を有するアルキル基である）、又はＨ又は１〜５個の炭素原子を有するアルキル基であり、ｍは０又は１であり、ｎは０又は１であるか、又はＹ2及びＹ3は、５員又は６員の芳香族又は複素芳香族の環の環員（複素元素としてはＮ、Ｏ又はＳを有する）であり、該環は、アルキル、アルコキシ、カルボキシ又はニトリルで置換されていてよく、Ｙ1及びＹ4は不要であり、かつｎは０であり、ｍは０又は１である架橋から選択される導電性塩に関する。
2007528109.tif 000002
【特許請求の範囲】
【請求項１】
リチウム ビス（オキサラト）ボレート（ＬｉＢＯＢ）と型
【化１】
2007528109.tif 000009
の混合型のリチウムボレート塩とを含有する導電性塩であって、該導電性塩中の化合物（Ｉ）の割合が０．０１〜２０モル％であり、かつ式（Ｉ）中のＸが、２個の酸素原子でホウ素に対して結合される架橋であり、該架橋が
【化２】
2007528109.tif 000010
［式中、
−  Ｙ1及びＹ2は、一緒になってＯを意味し、ｍは１であり、ｎは０であり、かつＹ3及びＹ4は、互いに無関係に、Ｈ又は１〜５個の炭素原子を有するアルキル基であるか、又は
−  Ｙ1、Ｙ2、Ｙ3、Ｙ4は、それぞれ互いに無関係に、ＯＲ（その際、Ｒは、１〜５個の炭素原子を有するアルキル基である）、又はＨ又は１〜５個の炭素原子を有するアルキル基であり、ｍは０又は１であり、ｎは０又は１であるか、又は
−  Ｙ2及びＹ3は、５員又は６員の芳香族又は複素芳香族の環の環員（複素元素としてはＮ、Ｏ又はＳを有する）であり、該環は、アルキル、アルコキシ、カルボキシ又はニトリルで置換されていてよく、Ｙ1及びＹ4は不要であり、かつｎは０であり、ｍは０又は１である］から選択される導電性塩。
【請求項２】
化合物部Ｘが、形式上、２個のＯＨ基だけ減少した１，３−ジカルボン酸から形成される、請求項１記載の導電性塩。
【請求項３】
１，３−ジカルボン酸が、マロン酸又はアルキルマロン酸である、請求項２記載の導電性塩。
【請求項４】
化合物部Ｘが、形式上、２個のＯＨ基だけ減少した１，２−もしくは１，３−ヒドロキシカルボン酸から形成される、請求項１記載の導電性塩。
【請求項５】
１，２−ヒドロキシカルボン酸もしくは１，３−ヒドロキシカルボン酸が、グリコール酸又は乳酸である、請求項４記載の導電性塩。
【請求項６】
化合物部Ｘが、飽和のＣ2又はＣ3の鎖から形成される、請求項１記載の導電性塩。
【請求項７】
化合物部Ｘが、形式上、２個のＯＨ基だけ減少した１，２−ビスフェノール又は１，２−カルボキシフェノール（例えばサリチル酸）又は芳香族の１，２−ジカルボン酸（例えばフタル酸）又はピリジン−２，３−ジオールから形成される、請求項１記載の導電性塩。
【請求項８】
１，２−ビスフェノールがピロカテキンであり、１，２−カルボキシフェノールがサリチル酸であり、かつ１，２−ジカルボン酸がフタル酸である、請求項７記載の導電性塩。
【請求項９】
請求項１から８までのいずれか１項記載の導電性塩の製造方法において、好適なホウ素化合物、シュウ酸、好適なキレート形成剤Ｌ2及び好適なリチウム化合物を混合し、その際、使用される物質（ホウ素化合物／シュウ酸とキレート形成剤Ｌ2との混合物／リチウム化合物）のモル比が１：２：１となり、かつそのシュウ酸とキレート形成剤Ｌ2との混合物が最大で２０モル％のキレート形成剤Ｌ2を含有することを特徴とする方法。
【請求項１０】
ホウ素化合物としてホウ酸を使用し、かつキレート形成剤Ｌ2としてジカルボン酸（シュウ酸ではない）又はヒドロキシカルボン酸を使用する、請求項９記載の方法。
【請求項１１】
キレート形成剤Ｌ2として、１，３−ジカルボン酸、例えばマロン酸又はアルキルマロン酸（１〜５個の炭素原子を有するアルキル基を使用することが好ましい）、１，２−もしくは１，３−ヒドロキシカルボン酸、例えばグリコール酸又は乳酸、１，２−もしくは１，３−ジオール、１，２−ビスフェノール、例えばピロカテキン、１，２−カルボキシフェノール、例えばサリチル酸（これは最大で２置換されていてもよい）又は芳香族又は複素芳香族の１，２−ジカルボン酸、例えばフタル酸又はピリジン−２，３−ジオールを使用する、請求項９記載の方法。
【請求項１２】
原料成分を、共沸脱水に適した媒体（例えばトルエン、キシレン、メチルシクロヘキサン、６個より多い炭素原子を有する過フッ化炭化水素）中に懸濁させ、そして公知のように共沸脱水させる、請求項９から１１までのいずれか１項記載の方法。
【請求項１３】
成分を任意の順序で水中に導入し、そして撹拌しつつ有利には減圧で蒸発させて水溶液中で実施する、請求項１１記載の方法。
【請求項１４】
水の代わりに、アルコール又は別の極性有機溶剤を反応媒体として使用する、請求項１３記載の方法。
【請求項１５】
原料成分を、溶剤の添加なくして混合し、熱供給によって加熱し、そして有利には減圧下に脱水させる、請求項９から１１までのいずれか１項記載の方法。
【請求項１６】
請求項１から８までのいずれか１項記載の導電性塩をガルヴァーニ電池で用いる使用。
【請求項１７】
請求項１から８までのいずれか１項記載の導電性塩をリチウムイオン電池で用いる使用。
【発明の詳細な説明】
【技術分野】
【０００１】
本発明は、リチウム−ボレート錯塩、その製造及びガルヴァーニ電池における電解質として、特にリチウムイオン電池における導電性塩としての使用に関する。
【０００２】
可搬型電子機器には、独立的な電流供給のために、より能率的な再充電可能な電池が絶えず要求される。そのためには、ニッケル／カドミウム蓄電池とニッケル／金属水素化物蓄電池の他に、ニッケル電池と比較して主に高いエネルギー密度を有する再充電可能なリチウム電池が適している。商慣習上のシステムは、約３Ｖの端子電圧を有し、この電位は、水を基礎とする電解質系をリチウム電池において使用できないという結論に導く。その代わりに、液状系において、非水性でたいていは有機的な電解質（該系は、リチウム塩を有機溶剤、例えばカーボネート、エーテル又はエステル中に溶かした溶液である）が使用される。
【０００３】
目下支配的な電池設計（液状電解質を伴うリチウムイオン電池）においては、導電性塩として、実際には専ら、リチウムヘキサフルオロホスフェート（ＬｉＰＦ6）が使用される。この塩は、高エネルギー電池で使用するために必要な前提条件を保有する、すなわち該塩は、非プロトン性溶剤によく溶け、高い導電性を有する電解質に導き、そして高い程度の電気化学的安定性を有する。酸化的分解は、約４．５Ｖを上回った場合に初めて起こる。しかしながら、ＬｉＰＦ6は、主にその熱安定性の不足（約１３０℃より高温で分解）に起因しうる重大な欠点を有する。更に、湿分と接触した場合に、強い刺激で毒性のフッ化水素を放出し、それは、一方で取り扱いを困難にし、他方で電池構成要素、例えばカソードを攻撃して損傷させる。
【０００４】
前記の背後関係に対して、代替的な導電性塩を開発するという集中的な尽力がある。かかる導電性塩としては、とりわけ過フッ化された有機基を有するリチウム塩が調査された。該塩は、リチウム−トリフルオロメタンスルホネート（"Ｌｉ−Ｔｒｉｆｌａｔ"）、リチウムイミド（リチウム−ビス（ペルフルオロアルキルスルホニル）イミド）並びにリチウムメチド（リチウム−トリス（ペルフルオロアルキルスルホニル）メチド）である。これらの全ての塩は、比較的費用のかかる製造方法を必要とし、従って該塩は比較的高価であって、かつアルミニウムに対する腐蝕性又は導電性の悪さのような別の欠点を有する。
【０００５】
再充電可能なリチウム電池における導電性塩として使用するための更なる化合物種として、リチウムオルガノボレートが調査された。しかしながら、その低い酸化安定性とトリオルガノボランの取り扱いにおける安全性の懸念のため、市販のシステムのためには失格である。
【０００６】
ＥＰ６９８３０１号でガルヴァーニ電池における使用について提案されたＡＢＬ2型（その際、Ａは、リチウム又は第四級アンモニウムイオンを意味し、Ｂは、ホウ素を意味し、かつＬは、二座の配位子であって２個の酸素原子を介してホウ素原子に結合されている配位子を意味する）のリチウム錯塩は、重要な発展である。しかしながら、提案された塩であってその配位子が少なくとも１個の芳香族基を有する塩は、その芳香族基が電子吸引性基、一般にはフッ素で置換されているか又はその環中に少なくとも１個の窒素原子を有する場合にのみ十分な電気化学的安定性を有するに過ぎない。かかるキレート化合物は、市販されておらず、高い費用をかけて製造できるに過ぎない。従って、提案された製品は、市場に参入できなかった。
【０００７】
非常に似たホウ素化合物は、ＥＰ９０７２１７号において、有機電解質電池における成分として提案されている。ホウ素含有の導電性塩としては、一般式ＬｉＢＸＸ′［式中、配位子Ｘ及びＸ′は同一又は異なってよく、かつ各配位子は、酸素含有の電子吸引性基であってホウ素原子に結合した基を含む］の化合物が提案される。しかしながら、挙げられる化合物（ボロジサリチル酸リチウム及び特定のイミド塩）は、既に上述の欠点を有する。
【０００８】
ＤＥ１９８２９０３０号で初めて記載されたリチウム−ビス（オキサラト）ボレート（ＬｉＢＯＢ）は、電解質としての用途に初めて記載されたホウ素中心の錯塩であり、該塩は、キレート成分としてジカルボン酸（この場合にはシュウ酸）を使用する。該化合物は、容易に製造でき、無毒であり、かつ約４．５Ｖまで電気化学的に安定であり、このことは、リチウムイオン電池でのその使用を可能にする。しかしながら、これらの化合物は、電池電圧＞３Ｖを有する新規の電池システムではほとんど使用できないという欠点がある。かかる電気化学的な電池のためには、約５Ｖ以上の安定性を有する塩が必要である。更に、リチウム−ビス（オキサラト）ボレートは、その骨格を破壊しないことには構造的な可変性を許容しないという欠点がある。
【０００９】
ＥＰ１０３５６１２号においては、式
Ｌｉ+Ｂ-（ＯＲ1）m（ＯＲ2）p
［式中、
ｍ及びｐは、０、１、２、３又は４であり、その際、ｍ＋ｐ＝４であり、かつ
Ｒ1及びＲ2は、同一又は異なって、単結合又は二重結合によって互いに直接的に結合されていてよく、
それぞれは、単独又は一緒になって、芳香族又は脂肪族のカルボン酸又はスルホン酸を意味するか、又は
それぞれは、単独又は一緒になって、フェニル、ナフチル、アントラセニル又はフェナントレニルの群からの芳香環であって非置換又はＡ又はＨａｌによって一置換ないし四置換されていてよい芳香環を意味するか、又は
それぞれは、単独又は一緒になって、ピリジル、ピラジル又はビピリジルの群からの複素環式芳香環であって非置換又はＡ又はＨａｌによって一置換ないし三置換されていてよい複素環式芳香環を意味するか、又は
それぞれは、単独又は一緒になって、芳香族のヒドロキシカルボン酸又は芳香族のヒドロキシスルホン酸の群からの芳香族ヒドロキシ酸であって非置換又はＡ又はＨａｌによって一置換ないし四置換されていてよい芳香族ヒドロキシ酸を意味し、かつ
Ｈａｌは、Ｆ、Ｃｌ又はＢｒであり、かつ
Ａは、１〜６個の炭素原子を有し、一ハロゲン化ないし三ハロゲン化されていてよいアルキル基である］の添加剤が挙げられている。
【００１０】
特に有利な添加剤としては、リチウム−ビス［１，２−ベンゼンジオラト（２−）Ｏ，Ｏ′］ボレート（１−）、リチウム−ビス［３−フルオロ−１，２−ベンゼンジオラト（２−）Ｏ，Ｏ′］ボレート（１−）、リチウム−ビス［２，３−ナフタリンジオラト（２−）Ｏ，Ｏ′］ボレート（１−）、リチウム−ビス［２，２′−ビフェニルジオラト（２−）Ｏ，Ｏ′］ボレート（１−）、リチウム−ビス［サリチラト（２−）Ｏ，Ｏ′］ボレート（１−）、リチウム−ビス［２−オラト−ベンゼンスルホナト（２−）Ｏ，Ｏ′］ボレート（１−）、リチウム−ビス［５−フルオロ−２−オラト−ベンゼンスルホナト（２−）Ｏ，Ｏ′］ボレート、リチウムフェノレート及びリチウム−２，２−ビフェノレートを挙げることができる。これらは、Ｌｉ［ＢＬ2］型の全ての対称的なリチウムキラトボレート（Lithiumchelatoborate）である。
【００１１】
電気化学的に特に安定な単純なリチウム（キラト）ボレート化合物として、Ｃ．Ａｎｇｅｌｌによって、５Ｖまでの電気化学窓を有するべきリチウム−ビス（マロナト）ボレートが記載された。当該化合物は、慣用のバッテリ溶剤中に事実上不溶（例えばプロピレンカーボネート中に０．０８モラーだけ）であるという欠点を有するので、単にＤＭＳＯ及びバッテリ用に禁止された類似の溶剤中にのみ溶解させて特徴付けできるに過ぎない（Wu Xu und C. Austen Angell, Electrochem. Solid-State Lett. 4, E1-E4, 2001）。
【００１２】
ＤＥ１０１０８５９２号においては、一般式
【００１３】
【化１】
2007528109.tif 000003
［式中、
Ｘは、−Ｃ（Ｒ1Ｒ2）−又は−Ｃ（Ｒ1Ｒ2）−Ｃ（＝Ｏ）−であり、その際、
Ｒ1、Ｒ2は、互いに無関係に、Ｈ、アルキル（１〜５個の炭素原子を有する）、アリール、シリル又はポリマーであり、かつアルキル基Ｒ1又はＲ2の１個は、他のキラトボレート基と結合されていてよいか、
又は
Ｘは、３位ないし６位に２個までの置換基を有する１，２−アリール
【００１４】
【化２】
2007528109.tif 000004
であり、その際、
Ｓ1、Ｓ2は、互いに無関係に、アルキル（１〜５個の炭素原子を有する）、フルオロ又はポリマーであるか、
それらのいずれかであり、かつ
Ｍ+は、Ｌｉ+、Ｎａ+、Ｋ+、Ｒｂ+、Ｃｓ+又は［（Ｒ3Ｒ4Ｒ5Ｒ6）Ｎ］+又はＨ+であり、その際、
Ｒ3、Ｒ4、Ｒ5、Ｒ6は、互いに無関係に、Ｈ又は有利には１〜４個の炭素原子を有するアルキルである］の混合型のホウ素キレート錯体が記載されている。
【００１５】
これらの化合物での欠点は、有機溶剤、例えばプロピレンカーボネート中でのしばしば不十分な可溶性である。従って、かかる溶剤の導電性は、一般に、確立されたそのリチウム塩（例えばＬｉＰＦ6又はＬｉＢＯＢ）よりも低い。
【００１６】
前記の理由から、ＤＥ１０１０８５９２号に開示された混合型のホウ素キレート錯塩の１つを主に含有する液状電解質は、強力な高性能バッテリ用に使用できない。
【００１７】
また、ＤＥ１０１０８５９２号並びにＤＥ１０１０８６０８号に記載されるような合成は、難点を免れない：つまり、酸化物ホウ素原料、例えばホウ酸又は酸化ホウ素と２種の異なる錯体配位子Ｌ1及びＬ2のモル比１：１：１から出発して、混合型の塩を製造する場合に、所望な混合型の錯塩が生成するだけでなく、ｈｏｍｏ化合物［ＢＬ12］-及び［ＢＬ22］-も形成する。ＤＥ１０１０８６０８号においては、以下の例が挙げられる。
【００１８】
【表１】
2007528109.tif 000005
【００１９】
不所望なｈｏｍｏ化合物は、種々異なる物理化学特性、特に混合型の化合物とは異なる電気化学的安定性を有し；従って前記化合物は、再結晶又は類似の精製法によって分離せねばならず、これは比較的費用がかかる。
【００２０】
また、ＷＯ０１／９９２０９号は、混合型のリチウムボレート塩、例えばリチウム（マロナトオキサラト）ボレート（実施例６及び７）の製造を開示している。２つの合成手法が記載されており、その両者は主生成物として所望な塩をもたらすが、ｈｏｍｏ錯体化合物による汚染は、避けることができない（実施例６：４．５％のリチウム ビス（オキサラト）ボレート）。
【００２１】
ＥＰ１０９５９４２号では、式
Ｌｉ+Ｂ-（ＯＲ1）m（ＯＲ2）p
（式中、Ｒ1、Ｒ2、ｍ及びｐの意味については、ＥＰ１０３５６１２号での上記参照）の錯塩が記載されている。これらの錯塩は、電気化学的電池用の電解質中での導電性塩として用いられる。同様に、これらは、１〜９９％の割合で、別の導電性塩と組み合わせて使用することができる。ＬｉＰＦ6、ＬｉＢＦ4、ＬｉＣｌＯ4、ＬｉＡｓＦ6、ＬｉＣＦ3ＳＯ3、ＬｉＮ（ＣＦ3ＳＯ2）2又はＬｉＣ（ＣＦ3ＳＯ2）3及びそれらの混合物の群からの導電性塩が適している。これらは、全てフッ素化された導電性塩である。
【００２２】
本発明の課題は、先行技術の欠点を克服し、特にフッ素化された、容易にかつ廉価に製造可能なリチウムイオン電池用の導電性塩を見出し、かつその合成を示すことである。更に、該導電性塩は、材料技術的かつ応用技術的特性に適合できることが望ましく、かつ成形作用（Formierfunktion）及び過充電保護作用を有することが望ましい。
【００２３】
前記課題は、リチウム ビス（オキサラト）ボレート（"ＬｉＢＯＢ"）と、型
【００２４】
【化３】
2007528109.tif 000006
の混合型のリチウムボレート塩とを含有する塩混合物であって該塩混合物中の化合物（Ｉ）の割合が０．０１〜２０モル％である塩混合物を、導電性塩として使用することによって解決される。式（Ｉ）中のＸは、２個の酸素原子でホウ素に対して結合される架橋であり、該架橋は、
【００２５】
【化４】
2007528109.tif 000007
［式中、
−  Ｙ1及びＹ2は、一緒になってＯを意味し、ｍは１であり、ｎは０であり、かつＹ3及びＹ4は、互いに無関係に、Ｈ又は１〜５個の炭素原子を有するアルキル基であるか、又は
−  Ｙ1、Ｙ2、Ｙ3、Ｙ4は、それぞれ互いに無関係に、ＯＲ（その際、Ｒは、１〜５個の炭素原子を有するアルキル基である）、又はＨ又は１〜５個の炭素原子を有するアルキル基であり、ｍは０又は１であり、ｎは０又は１であるか、又は
−  Ｙ2及びＹ3は、５員又は６員の芳香族又は複素芳香族の環の環員（複素元素としてはＮ、Ｏ又はＳを有する）であり、該環は、アルキル、アルコキシ、カルボキシ又はニトリルで置換されていてよく、Ｙ1及びＹ4は不要であり、かつｎは０であり、ｍは０又は１である］から選択される。
【００２６】
これらの新規のフッ素不含の物質混合物は、例えばＤＥ１０１０８５９２号に記載される製造方法と同様にして製造できる。この場合に、シュウ酸に対して高くて２０モル％のキレート形成剤Ｌ2が使用されるように、１：１：１：１（ホウ素化合物（例えばホウ酸）／シュウ酸／キレート形成剤Ｌ2／リチウム化合物）の化学量論比から逸脱せねばならない。使用される物質（ホウ素化合物／シュウ酸とキレート形成剤Ｌ2との混合物／リチウム化合物）のモル比は、１：２：１となり、その際、シュウ酸とキレート形成剤Ｌ2との混合物は、最大で２０モル％のキレート形成剤Ｌ2を含有する。この場合に、Ｌ2は、例えばジカルボン酸（シュウ酸ではない）、ヒドロキシカルボン酸又はサリチル酸（該酸は最大で二置換されていてよい）である。キレート形成剤Ｌ2についての更なる可能性は、化合物部Ｘの記載において以下により広範に挙げられている。
【００２７】
その反応は、有利には、原料成分を、共沸脱水に適した媒体（例えばトルエン、キシレン、メチルシクロヘキサン、６個より多い炭素原子を有する過フッ化炭化水素）中に懸濁させ、そして公知のように共沸脱水させることで実施される。
【００２８】
また、合成を水溶液中で実施することも可能である。この場合に、それらの成分を、任意の順序で水中に導入し、そして撹拌しつつ有利には減圧下で蒸発させる。主要量の水を除去した後に、固体の反応生成物が形成し、その生成物は、固有の生成物特性に応じて、１００〜１８０℃の温度と減圧（例えば１０ミリバール）で最終乾燥させる。水の他にも、アルコール及び別の極性有機溶剤が反応媒体として適している。
【００２９】
最後に、生成物の製造は、何らかの溶剤を添加しなくとも実施できる、すなわち商慣習上の原料を混合し、次いで熱供給によって加熱し、そして有利には減圧下に脱水させる。
【００３０】
該方法の実施に際して、少なくとも８０モル％のＬｉＢＯＢを、高くても２０モル％の混合型のリチウムボレート塩（Ｉ）の他に含有する混合物が形成される。驚くべきことに、かかる合成混合物中に、検出できる量のｈｏｍｏ錯体化合物
【００３１】
【化５】
2007528109.tif 000008
は存在しない。得られた導電性塩混合物は、純粋なＬｉＢＯＢに対して、過充電の場合に、カソードで電池電圧の増大速度を緩める分解反応が生じるという利点を有する。それによって、カソード材料の危険な逐次反応を、電解質の成分でもって回避もしくは低減させることができる。
【００３２】
化合物部Ｘについて好ましい例は、形式上、２個のＯＨ基だけ減少した１，３−ジカルボン酸、例えばマロン酸及びアルキルマロン酸（有利には１〜５個の炭素原子を有するアルキル基で置換されたマロン酸）である。（ホウ素に対して結合されるＯ原子は、式（Ｉ）中に既に含まれており、１，３−ジカルボン酸はＬ2に相当する）。
【００３３】
化合物部Ｘについて更に好ましい例は、形式上、２個のＯＨ基だけ減少した１，２−もしくは１，３−ヒドロキシカルボン酸、例えばグリコール酸又は乳酸である。（その１，２−もしくは１，３−ヒドロキシカルボン酸はＬ2に相当する）。化合物部Ｘは、有利には、飽和のＣ2又はＣ3の鎖から形成することもでき、これは、形式上、２個のＯＨ基だけ減少した１，２−もしくは１，３−ジオールから誘導することができる。（その１，２−もしくは１，３−ジオールはＬ2に相当する）。
【００３４】
化合物部Ｘについて更に有利な例は、形式上、２個のＯＨ基だけ減少した１，２−ビスフェノール（例えばピロカテキン）又は１，２−カルボキシフェノール（例えばサリチル酸）又は芳香族もしくは複素芳香族の１，２−ジカルボン酸（例えばフタル酸又はピリジン−２，３−ジオール）である。挙げられる１，２−ビスフェノール、１，２−カルボキシフェノール又は芳香族の１，２−ジカルボン酸は、Ｌ2に相当する。
【００３５】
本発明の対象を、以下の実施例をもとに詳細に説明する。
【００３６】
実施例１：
２５０ｍｌのガラス製の丸底フラスコ中で、２３．９５ｇのシュウ酸二水和物、６．８１ｇのホウ酸及び１．３８ｇのサリチル酸（ホウ酸に対して１０モル％）を５０ｍｌの水中に懸濁し、そして撹拌しつつ４．０６ｇの炭酸リチウムを添加した。ガス発生（中和反応由来のＣＯ2）の発生が鎮まった後に、該懸濁液を油浴温度１１５℃で１時間還流させた。この場合に、澄明な無色の溶液が形成した。この溶液を、回転蒸発器上で、油浴温度１２５℃において真空中で全蒸発させた。
【００３７】
残留した固体を、保護ガス雰囲気（アルゴン）下で、ニッケル製のへらで事前に微細化させ、そして乳鉢中で磨りつぶした。次いで、その粉末を再びガラス製丸底フラスコ中に充填し、そして回転蒸発器上で、１５０℃で最終的に１３ミリバールで最終乾燥させた。
【００３８】
収量：１７．３ｇ（理論値の８８％、損失はガラス製フラスコ中での凝結（Verbackung）によるもの）
分析：リチウム  ３．６０％（公称値：３．５４％）
純度：11Ｂ ＮＭＲスペクトル（溶剤  ＴＨＦ／Ｃ6Ｄ6）において、ｈｏｍｏ化合物であるリチウム−ビス（サリチラト）ボレート（文献シフト（Literaturverschiebung）  ４．０ｐｐｍ）は検出できず、単に、予想される生成物であるリチウム ビス（オキサラト）ボレート（７．６ｐｐｍ）、略してＬｉＢＯＢのシグナルと、混合型の塩であるリチウム（サリチラト，オキサラト）ボレート（５．６ｐｐｍ）、略してＬｉＳＯＢのシグナルとが検出できる（図１を参照）。
【図面の簡単な説明】
【００３９】
【図１】図１は、実施例１の結果を示す11Ｂ ＮＭＲスペクトル図である
【図１】
2007528109.tif 000011
【国際調査報告】
2007528109.tif 000012
2007528109.tif 000013
2007528109.tif 000014
2007528109.tif 000015